(57)【特許請求の範囲】
【請求項１】
携帯端末への着信に伴って回転動作する回転動作手段と、
この回転動作手段を収容する収容体と、
この収容体の底面部に形成され載置面と接触する接触部とを備え、
前記接触部は、前記収容体の底面部に設けられ表面が球状からなる複数の突起であることを特徴とする着信報知装置。
【請求項２】
前記回転動作手段は、モータとこのモータの回転軸に固定され偏心した分銅とからなることを特徴とする請求項１記載の着信報知装置。
【請求項３】
前記分銅を、前記収容体の中心より偏心した位置で水平回転するように配置したことを特徴とする請求項２記載の着信報知装置。
【請求項４】
前記モータを上部に配置し、前記分銅をその下部に配置したことを特徴とする請求項２又は３記載の着信報知装置。
【請求項５】
前記突起を、前記底面部の中心から等距離であって相互に等間隔に３個設けたことを特徴とする請求項１記載の着信報知装置。
【請求項６】
前記突起を、前記底面部の一方側に設けたことを特徴とする請求項１記載の着信報知装置。
【請求項７】
携帯端末への着信に伴って回転動作する回転動作手段と、
この回転動作手段を収容する収容体と、
この収容体の底面部に形成され載置面と接触する接触部とを備え、
前記接触部は、前記収容体の底面部の周縁部に突設された周縁凸条であることを特徴とする着信報知装置。
【請求項８】
携帯端末への着信に伴って回転動作する回転動作手段と、
この回転動作手段を収容する収容体と、
この収容体の底面部に形成され載置面と接触する接触部とを備え、
前記接触部は、前記収容体の底面部の中心部に突設された直線状の凸条であることを特徴とする着信報知装置。
【請求項９】
携帯端末への着信に伴って回転動作する回転動作手段と、
この回転動作手段を収容する収容体と、
この収容体の底面部に形成され載置面と接触する接触部とを備え、
前記接触部は、前記収容体の底面部の中心部に突設された断面略三角形状の尖状突起であることを特徴とする着信報知装置。
【発明の詳細な説明】
【０００１】
【発明の属する技術分野】
本発明は、携帯端末への着信を報知する着信報知装置に関する。
【０００２】
【従来の技術】
従来の着信報知装置としては、対応する携帯端末への着信を、バイブレータの振動あるいはランプの点滅点灯により報知するもの等が知られている。これら着信報知装置において、ランプの点滅点灯により報知するものにあっては、機能的な存在意義もさることながら、視覚的な面白さを発生させる意義も有している。
【０００３】
【発明が解決しようとする課題】
しかしながら、従来の着信報知装置において、単にランプを点滅あるいは点灯させても、着信報知装置それ自体が無機的な形態であることから、視覚的な面白さを充分に得られるものではなく、着信時に面白さを感じさせるには未だ満足すべきものではなかった。
【０００４】
本発明は、このような従来の課題に鑑みてなされたものであり、着信時に面白さを感じさせ得るようにした着信報知装置を提供することを目的とするものである。
【０００５】
【課題を解決するための手段】
前記課題を解決するために請求項１記載の発明にあっては、携帯端末への着信に伴って回転動作する回転動作手段と、この回転動作手段を収容する収容体と、この収容体の底面部に形成され載置面と接触する接触部とを備え、前記接触部は、前記収容体の底面部に設けられ表面が球状からなる複数の突起である。したがって、携帯端末への着信があると、収容体内部の回転動作手段が回転動作しこれに伴う応力が収容体に加わる。すると、載置面と接触部にて接触している収容体が、前記応力を受けて載置面状で回転し、この載置面上での収容体の回転により面白さを発生させつつ、着信が報知される。また、載置面との接触が点接触となって回転抵抗が少なく、収容体を効率的に回転させ得る。
【０００６】
また、請求項２記載の発明にあっては、前記回転動作手段は、モータとこのモータの回転軸に固定され偏心した分銅とからなる。したがって、偏心した分銅の回転による遠心力等が応力として収容体に作用することにより、収容体が確実に回転駆動される。
【０００７】
また、請求項３記載の発明にあっては、前記分銅を、前記収容体の中心より偏心した位置で水平回転するように配置してある。したがって、分銅が回転した際の応力が収容体の回転方向に作用し、収容体がスムーズに回転する。
【０００８】
また、請求項４記載の発明にあっては、前記モータを上部に配置し、前記分銅をその下部に配置してある。これより、収容体にはその下部側つまり載置面との接触部位の近傍で分銅の回転に伴う応力が作用し、よりスムーズに収容体を回転させることができる。
【００１０】
また、請求項５記載の発明にあっては、前記突起を、前記底面部の中心から等距離であって相互に等間隔に３個設けてある。つまり、突起を３個設けることが、突起の数を最小限にして載置面との接触抵抗を可及的に少なくしつつ、収容体を傾斜させることなく垂直に維持でき、その結果、収容体の回転も最もスムーズなものとなる。このことは、本発明者の実験によっても確認されている。
【００１１】
また、請求項６記載の発明にあっては、前記突起を、前記底面部の一方側に設けてある。したがって、載置面上において収容体が傾いた状態で回転し、これにより面白さが増大する。
【００１２】
また、請求項７記載の発明にあっては、携帯端末への着信に伴って回転動作する回転動作手段と、この回転動作手段を収容する収容体と、この収容体の底面部に形成され載置面と接触する接触部とを備え、前記接触部は、前記収容体の底面部の周縁部に突設された周縁凸条である。したがって、載置面上に置いた際、周縁凸条が全周において均一に載置面と接触して、収容体が垂直状態に保たれるとともに、全周に亙る周縁凸条の回転抵抗により、回転はややゆっくりしたものとなり、収容体の動きを優雅なものにすることができる。
【００１３】
また、請求項８記載の発明にあっては、携帯端末への着信に伴って回転動作する回転動作手段と、この回転動作手段を収容する収容体と、この収容体の底面部に形成され載置面と接触する接触部とを備え、前記接触部は、前記収容体の底面部の中心部に突設された直線状の凸条である。したがって、載置面上に置いた際、直線状の凸条の先端と収容体の周部の一部とが載置面と接触して、収容体が斜状態となる。したがって、この状態で収容体が回転した際、収容体が左右に揺れながら回転し、収容体の動きが“千鳥足”的になり、これによっても視覚的な面白さが得られる。
【００１４】
また、請求項９記載の発明にあっては、携帯端末への着信に伴って回転動作する回転動作手段と、この回転動作手段を収容する収容体と、この収容体の底面部に形成され載置面と接触する接触部とを備え、前記接触部は、前記収容体の底面部の中心部に突設された断面略三角形状の尖状突起である。したがって、載置面上に置いた際、尖状突起の先端と収容体の周部の一部とが載置面と接触して、収容体が斜状態となる。したがって、収容体は回転した際、斜状態を維持しつつ、尖状突起と載置面との接触点を中心に回転し、上端部大きな回転半径で回転する。
【００２０】
【発明の実施の形態】
以下、本発明の実施の形態を図に従って説明する。図１は、本発明の第１の実施の形態にかかる着信報知装置１の外観を示すものであり、この着信報知装置１は、その下部に収容体２を有し、収容体２の上部に装飾体３が結合されている。装飾体３は家鴨を模倣した形態であって、透光性を有する樹脂を用いて中空状に形成されている。
【００２１】
収容体２は、図２に示すように、円筒状の容器本体４とこの容器本体４の底面開口部に着脱自在に螺合された電池蓋５とで構成されており、容器本体４の上端部には上方へ突出する首部６とこの首部６により囲繞された開口部７とが形成されている。電池蓋５は、図３に示すように、平面視において円形であって、下面５ａの中央部にはこの電池蓋５を回転させて着脱する際にコインの端部が挿入される溝８が直径方向に形成されている。さらに、電池蓋５の下面には、３個の球面突起９が形成されている。この球面突起９は、半球状であって電池蓋５の下面５ａよりも下方に突出し、各々電池蓋５の中心部から等距離であって相互に等間隔を有して配置されている。
【００２２】
収容体２の内部には、図２に示すように、電池蓋５の上部に円形の電池１０が配置され、電池１０の上部に周部を容器本体４の内周面に結合された仕切板１１が設けられている。この仕切板１１の上部には、着信報知ユニット２０が配置されている。この着信報知ユニット２０は、仕切板１１の中央部に立設され容器本体４の略中心部に位置する基板１２を有し、この基板１２の一面側には電池１０に接続された回路１３が固着されている。また、基板１２の他面側には、その上部にモータ１４が装着されており、このモータ１４はその回転軸１５が垂直下方に向いた下向き状態で固定されている。
【００２３】
この回転軸１５の下端部には、分銅１６が固着されており、よって、この分銅１６は図示のように収容体２の中心から一方側に偏心した位置であって、収容体２の下部寄りに配置されている。この分銅１６は、図４に示すように、前記回転軸１５に固定されたボス部１６ａと、このボス部１６ａの一方側のみに形成された重量部１６ｂとを有し、回転軸１５に対して偏心しており、よって回転に伴って遠心力が生じて振動し、バイブレータ機能が発生するように構成されている。さらに、基板１２の上端部には、アンテナ１７とＬＥＤ１８とが接続されており、この両者は開口部７を介して外部に突出している。そして、前記装飾体３は、容器本体４の首部６に嵌合され、図１に示すように、アンテナ１７とＬＥＤ１８とは装飾体３の内部に収容されている。
【００２４】
着信報知ユニット２０は、図５に示すように、携帯端末（携帯電話）が当該携帯端末への着信に応答して発生する応答信号を前記アンテナ１７を備え、このアンテナ１７は電波検波部２１に接続されている。この電波検波部２１は、アンテナ１７により受信された着信電波を検波して、所定の着信パターン信号を発生し、増幅器２２はこの着信パターン信号をＣＰＵ２３が認識可能なレベルまで増幅する。
【００２５】
ＣＰＵ２３は、ＲＯＭ２４に格納されているプログラムに基づき、ＲＡＭ２５をワークエリアとして使用しつつ各部を制御するものであって、入力信号の有無又は入力された信号パターンにより着信の有無を判定し、この判定結果に基づき、バイブレータ駆動回路２６とＬＥＤ駆動回路２７とを制御する。バイブレータ駆動回路２６には、バイブレータの駆動部である前記モータ１８が接続され、ＬＥＤ駆動回路２７には前記ＬＥＤ１８が接続されている。
【００２６】
以上の構成からなる本実施の形態において、使用に際してテーブル等の平らな載置面上に着信報知装置１を置いておくと、図３（Ｃ）に示すように、球面突起９の下端部が載置面Ｆに点接触する。一方、着信報知ユニット２０のＣＰＵ２３は電源オン状態にあるとプログラムに基づき、図６に示すフローチャートに従って動作し、増幅器２２から入力信号又は着信パターン信号の入力があったか否か判別する（ステップＳ１）。そして、対応する携帯端末への着信に伴って該携帯端末が応答信号を発生すると、これがアンテナ１７により受信されて電波検波部２１が着信パターン信号を発生する。この着信パターン信号が増幅器２２を介して入力されると、ステップＳ１からステップＳ２に進み、バイブレータ駆動回路２６を制御し（ステップＳ２）、引き続きＬＥＤ制御回路２７を制御する（ステップＳ３）。これにより、モータ１８が動作して回転軸１５が回転するとともに、ＬＥＤ１８が点滅動作する。
【００２７】
すると、回転軸１５と一体的に分銅１６が回転してバイブレータ機能が発生しその振動及び回転力が収容体２に作用する。このとき、分銅１６は前述のように、収容体２の中心から一方側に偏心した位置に設けられていることから、この変心した位置での分銅１６の回転による応力が、収容体２を回転させるように作用する。しかも、球面突起１０がその先端部にて載置面Ｆに点接触しており、載置面Ｆとの間に生ずる抵抗が少いこととも相俟って、着信報知装置１が載置面Ｆ上で回転する。したがって、恰も装飾体２が載置面Ｆ上で回転して報知動作しているような観を呈し、これにより視覚的な面白さを発生させることができる。
【００２８】
加えて、ＬＥＤ１８からの光が透光性を有する装飾体３を介して外部に放射されることから、恰も装飾体が発光しているような感を呈し、これに回転が加わることにより、面白さは一層増大させることができる。
【００２９】
なお、本実施の形態に示したように、球面突起１０を３個とすることが最も着信報知装置１の回転がスムーズに行われること、及びモータ１４を上部にして分銅１６を下部にすることにより、着信報知装置１の回転がスムーズに行われることが本発明者の実験で確認された。
【００３０】
図７は、本発明の第２の実施の形態を示すものであり、図７（Ａ）および図７（Ｂ）に示すように、電池蓋５の下面５ａには、各々中心より等距離であって、下面５ａの一方側の２個の球面突起９が設けられている。かかる実施の形態によれば、図７（Ｃ）に示すように、載置面Ｆ上に着信報知装置１を置いた際、下面５ａの一端周部５ｂが載置面Ｆと接触して、着信報知装置１が斜状態となる。したがって、この状態でモータ１４の回転に伴って着信報知装置１が回転した際、下面５ａの一端周部５ｂが回転抵抗となることにより、着信報知装置１の動きがトリッキーなものとなるとともに躍動し、これによっても視覚的な面白さが得られる。
【００３１】
図８は、本発明の第３の実施の形態を示すものであり、図８（Ａ）および図８（Ｂ）に示すように、電池蓋５の下面５ａには、同一高さで下方に突出する周縁凸条２８が形成されている。かかる実施の形態によれば、図８（Ｃ）に示すように、載置面Ｆ上に着信報知装置１を置いた際、周縁凸条２８が全周において均一に載置面Ｆと接触して、着信報知装置１が垂直状態に保たれるとともに、全周に亙る周縁凸条２８の接触抵抗により、回転はややゆっくりしたものとなり、着信時の着信報知装置１の動きを優雅なものにすることができる。
【００３２】
図９は、本発明の第４の実施の形態を示すものであり、図９（Ａ）および図９（Ｂ）に示すように、電池蓋５の下面５ａには、前記周縁凸条２８よりも高い直線凸条２９が前記溝８と直交する方向に形成されている。かかる実施の形態によれば、図９（Ｃ）に示すように、載置面Ｆ上に着信報知装置１を置いた際、直線凸条２９の先端と周縁凸条２８の一部とが載置面Ｆと接触して、着信報知装置１が斜状態となる。したがって、この状態でモータ１４の回転に伴って着信報知装置１が回転した際、着信報知装置１が直線凸条２９を中心に左右に揺れながら（矢印イ、ロ）回転し、着信報知装置１の動きが“千鳥足”的になり、これによっても視覚的な面白さが得られる。
【００３３】
図１０は、本発明の第４の実施の形態を示すものであり、図１０（Ａ）および図１０（Ｂ）に示すように、電池蓋５の下面５ａの中心部には、前記周縁凸条２８よりも高い尖状突起３０が突設されており、この尖状突起３０は断面略三角形を有している。かかる実施の形態によれば、図１０（Ｃ）に示すように、載置面Ｆ上に着信報知装置１を置いた際、尖状突起３０の先端と周縁凸条２８の一部とが載置面Ｆと接触して、着信報知装置１が斜状態となる。したがって、この状態でモータ１４の回転に伴って着信報知装置１が回転した際、着信報知装置１が斜状態を維持しつつ、尖状突起３０と載置面Ｆとの接触点を中心に回転する。したがって、上端部に設けられている装飾体３が大きな回転半径で回転し、これにより動きをより目立つ派手なものにすることができる。
【００３４】
なお、各実施の形態においては、各々異る構造の電池蓋５を用いるようにしたが、これら各実施の形態の電池蓋５と単一の着信報知装置１とをセットにして販売し、ユーザーが好みに応じて何れかの電池蓋５を容器本体４に装着して使用するようにしてもよく、これによりユーザーは用いる電池蓋５に応じて異る形態で着信報知装置１を回転させることができる。また、実施の形態においては、着脱自在な電池蓋５に突起等を設けて載置面Ｆと接触させるようにしたが、容器本体４が有底である場合には、該容器本体４の底面部に突起等を設けて載置面Ｆと接触させる構成とすればよい。
【００３５】
さらに、この実施形態では、携帯端末を例にして説明しているが、室内に設置している通常の電話機などの通信端末でもよく、また、モーターを回転動作させる代わりに、通信端末とは別体に設けられ、当該通信端末への外部からの信号の着信に応答して外観形状が動的に変化する動的変化部、例えば、着信報知装置の全体を動物、植物、または人間などの形態とし、それの全体または一部（腕や足など）が動的に変化する部分を備えるようにしても良い。
【００３６】
【発明の効果】
以上説明したように本発明は、携帯端末への着信に伴って回転動作する回転動作手段を、収容体の底面部に載置面と接触する接触部を備えた収容体の内部に収容するようにしたことから、回転動作手段の回転に伴う応力により収容体を載置面上で回転させて、着信時に面白さを発生させることができる。
また、接触部は、収容体の底面部に設けられ表面が球状からなる複数の突起としたことから、載置面との接触を点接触にして回転抵抗を少なくし、収容体を効率的に回転させることができる。
【００３７】
また、回転動作手段を、モータとこのモータの回転軸に固定され偏心した分銅とで構成したことから、偏心した分銅の回転による遠心力により、収容体を確実に回転駆動して、面白さの発生を確実なものにすることができる。
【００３８】
また、分銅を、収容体の中心より偏心した位置で水平回転するように配置したことから、分銅が回転した際の応力を収容体の特定部位にて回転方向に作用させることができ、収容体をスムーズに回転させることができる。
【００３９】
また、モータを上部に配置し、分銅をその下部に配置するようにしたことから、収容体にはその下部側つまり載置面との接触部位の近傍で分銅の回転に伴う応力が作用し、よりスムーズに収容体を回転させることができる。
【００４１】
また、突起を底面部の中心から等距離であって相互に等間隔に３個設ける構成により、突起の数を最小限にして載置面との接触抵抗を可及的に少くしつつ、収容体を傾斜させることなく垂直に維持でき、その結果、収容体の回転も最もスムーズなものにすることができる。また、突起を底面部の一方側に設ける構成により、載置面上において収容体が傾いた状態で回転し、これにより面白さを増大させることができる。
【００４２】
また、接触部を、収容体の底面部の周縁部に突設された周縁凸条とする構成により、収容体が垂直状態に保って、回転はややゆっくりしたものにでき、収容体の動きを優雅なものにすることができる。
【００４３】
また、接触部を、収容体の底面部の中心部に突設された直線状の凸条とする構成により、収容体が斜状態で左右に揺れながら回転し、収容体の動きが“千鳥足”的にして、これによっても視覚的な面白さを発生させることができる。
【００４４】
また、接触部を、収容体の底面部の中心部に突設された断面略三角形状の尖状突起としたことから、収容体は回転した際、斜状態を維持しつつ、尖状突起と載置面との接触点を中心に回転し、その結果上端部を大きな回転半径で回転させて面白さを発生させることができる。
【００４７】
【図面の簡単な説明】
【図１】本発明の第１の実施の形態にかかる着信報知装置の側面図である。
【図２】同実施の形態に置ける収容体の断面図である。
【図３】同実施の形態における電池蓋であって、（Ａ）は正面図、（Ｂ）は底面図、（Ｃ）は載置状態を示す図である。
【図４】分銅の平面図である。
【図５】同実施の形態における着信報知ユニットを示すブロック図である。
【図６】同実施の形態における制御手順を示すフローチャートである。
【図７】本発明の第２の形態における電池蓋であって、（Ａ）は正面図、（Ｂ）は底面図、（Ｃ）は載置状態を示す図である。
【図８】本発明の第３の形態における電池蓋であって、（Ａ）は断面図、（Ｂ）は底面図、（Ｃ）は載置状態を示す図である。
【図９】本発明の第４の形態における電池蓋であって、（Ａ）は断面図、（Ｂ）は底面図、（Ｃ）は載置状態を示す図である。
【図１０】本発明の第５の形態における電池蓋であって、（Ａ）は断面図、（Ｂ）は底面図、（Ｃ）は載置状態を示す図である。
【符号の説明】
１    着信報知装置
２    収容体
３    装飾体
５    電池蓋
９    球面突起
１４    モータ
１５    回転軸
１６    分銅
２０    着信報知ユニット
２８    周縁凸条
２９    直線凸条
３０    尖状突起
【図１】
0003756328.tif 000002
【図２】
0003756328.tif 000003
【図３】
0003756328.tif 000004
【図４】
0003756328.tif 000005
【図５】
0003756328.tif 000006
【図６】
0003756328.tif 000007
【図７】
0003756328.tif 000008
【図８】
0003756328.tif 000009
【図９】
0003756328.tif 000010
【図１０】
0003756328.tif 000011